【手続補正書】
【提出日】平成29年4月6日(2017.4.6)
【手続補正１】
【補正対象書類名】特許請求の範囲
【補正対象項目名】全文
【補正方法】変更
【補正の内容】
【特許請求の範囲】
【請求項１】
他の画像形成装置と通信可能な画像形成装置であって、
ログインユーザーの発行したジョブのリストを前記他の画像形成装置に対して要求するための要求手段と、
前記リストのうちの選択されたジョブを、前記他の画像形成装置のうちの前記ジョブをスプールする画像形成装置から取得して実行するためのジョブ処理手段と、
ユーザーごとに、前記要求手段にて前記リストを要求する優先度の高い画像形成装置のグループを記憶するための記憶手段と、
予め規定された範囲内におけるユーザーの存在を検知するための検知手段と、
前記検知手段によるユーザーの存在の検知結果を前記他の画像形成装置に通知するための第１の通知手段と、
前記他の画像形成装置から通知された当該他の画像形成装置における前記ユーザーの存在の検知結果に基づいて、前記ユーザーについての前記グループを決定するための決定手段と、
前記他の画像形成装置に、前記決定手段によって決定された前記グループに属する画像形成装置に関する情報を通知するための第２の通知手段と、
前記記憶手段に記憶されている前記ユーザーについてのグループを前記決定された前記グループに更新するための更新手段とを備え、
前記要求手段は、前記ログインユーザーについての前記グループに属する画像形成装置に対して、前記グループに属しない画像形成装置よりも優先して前記リストを要求する、画像形成装置。
【請求項２】
前記決定手段は、前記決定手段によって決定された前記グループと、前記他の画像形成装置から通知された前記グループとのうちの少なくとも１つのグループに属する画像形成装置を前記ユーザーについてのグループに属する画像形成装置として決定する、請求項１に記載の画像形成装置。
【請求項３】
前記決定手段は、各画像形成装置において前記ユーザーの存在が検知された頻度に基づいて前記ユーザーについての前記グループを決定する、請求項１または２に記載の画像形成装置。
【請求項４】
前記決定手段は、さらに、前記ユーザーの各画像形成装置の使用状況に基づいて前記ユーザーについての前記グループを決定する、請求項１〜３のいずれかに記載の画像形成装置。
【請求項５】
前記決定手段は、前記ユーザーの各画像形成装置の使用状況に基づいて、前記グループに属する画像形成装置の中に前記ユーザーの発行したジョブをスプールするための少なくとも１台の画像形成装置をさらに決定する、請求項１〜４のいずれかに記載の画像形成装置。
【請求項６】
電力状態として、ジョブの処理が可能な電力状態である第１の状態とジョブの処理が不可能な電力状態である第２の状態とを有し、
前記第１の状態と前記第２の状態とを切り替える制御を行なうための状態制御手段をさらに備え、
前記ユーザーについての前記グループに属する画像形成装置から前記ユーザーの存在が検知されたことが通知されたときに電力状態が前記第２の状態であった場合に、前記状態制御手段は、電力状態を前記第２の状態から前記第１の状態に移行する、請求項１〜５のいずれかに記載の画像形成装置。
【請求項７】
前記決定手段は、さらに、前記ユーザーについて予め規定されている、画像形成装置の使用権限に基づいて前記ユーザーについての前記グループを決定する、請求項１〜６のいずれかに記載の画像形成装置。
【請求項８】
互いに通信可能な複数台の画像形成装置それぞれの管理方法であって、
各前記画像形成装置は、ログインユーザーの発行したジョブのリストを他の画像形成装置に対して要求し、前記リストのうちの選択されたジョブを、前記他の画像形成装置のうちの前記ジョブをスプールする画像形成装置から取得して処理するように構成されており、
各前記画像形成装置において、予め規定された範囲内におけるユーザーの存在を検知するステップと、
前記複数台の画像形成装置のうちの前記範囲内に前記ユーザーの存在が検知された第１の画像形成装置が、当該第１の画像形成装置における前記ユーザーの存在の検知結果を第２の画像形成装置に通知するステップと、
前記第２の画像形成装置が、前記第１の画像形成装置から通知された当該第１の画像形成装置における前記ユーザーの存在の検知結果に基づいて、前記ユーザーについての前記リストを要求する優先度の高い画像形成装置のグループを決定するステップと、
前記第２の画像形成装置が、前記決定するステップにおいて決定された前記グループに属する画像形成装置に関する情報を前記第１の画像形成装置に通知するステップと、
前記決定するステップにおいて決定された前記グループに属する各画像形成装置が、メモリーに記憶されている前記ユーザーについてのグループを前記決定された前記グループに更新するステップと、を備える、管理方法。
【請求項９】
他の画像形成装置と通信可能な画像形成装置の制御プログラムであって、
各前記画像形成装置は、ログインユーザーの発行したジョブのリストを他の画像形成装置に対して要求し、前記リストのうちの選択されたジョブを、前記他の画像形成装置のうちの前記ジョブをスプールする画像形成装置から取得して処理するように構成されており、
前記制御プログラムは前記画像形成装置に、
前記他の画像形成装置から当該他の画像形成装置における予め規定された範囲内におけるユーザーの存在の検知結果を取得するステップと、
前記他の画像形成装置における前記ユーザーの存在の検知結果に基づいて、前記ユーザーについての前記リストを要求する優先度の高い画像形成装置のグループを決定するステップと、
前記他の画像形成装置が前記グループに属する場合に、前記決定するステップにおいて決定された前記グループに属する画像形成装置に関する情報を前記他の画像形成装置に通知するステップと、を実行させる、制御プログラム。
【請求項１０】
前記決定するステップは、前記決定するステップによって決定された前記グループと、前記他の画像形成装置から通知された前記グループとのうちの少なくとも１つのグループに属する画像形成装置を前記ユーザーについてのグループに属する画像形成装置として決定する、請求項９に記載の制御プログラム。
【請求項１１】
前記決定するステップは、各画像形成装置において前記ユーザーの存在が検知された頻度に基づいて前記ユーザーについての前記グループを決定する、請求項９または１０に記載の制御プログラム。
【請求項１２】
前記決定するステップは、さらに、前記ユーザーの各画像形成装置の使用状況に基づいて前記ユーザーについての前記グループを決定する、請求項９〜１１のいずれかに記載の制御プログラム。
【請求項１３】
前記決定するステップは、前記ユーザーの各画像形成装置の使用状況に基づいて、前記グループに属する画像形成装置の中に前記ユーザーの発行したジョブをスプールするための少なくとも１台の画像形成装置をさらに決定する、請求項９〜１２のいずれかに記載の制御プログラム。
【請求項１４】
電力状態として、ジョブの処理が可能な電力状態である第１の状態とジョブの処理が不可能な電力状態である第２の状態とを有し、
前記制御プログラムは、前記画像形成装置に、前記第１の状態と前記第２の状態とを切り替える制御を行なうステップを実行させ、
前記切り替える制御を行なうステップは、前記ユーザーについての前記グループに属する画像形成装置から前記ユーザーの存在が検知されたことが通知されたときに電力状態が前記第２の状態であった場合に、電力状態を前記第２の状態から前記第１の状態に移行する、請求項９〜１３のいずれかに記載の制御プログラム。
【手続補正２】
【補正対象書類名】明細書
【補正対象項目名】００１７
【補正方法】変更
【補正の内容】
【００１７】
他の実施の形態に従うと、制御プログラムは他の画像形成装置と通信可能な画像形成装置の制御プログラムである。各画像形成装置は、ログインユーザーの発行したジョブのリストを他の画像形成装置に対して要求し、リストのうちの選択されたジョブを、他の画像形成装置のうちのジョブをスプールする画像形成装置から取得して処理するように構成されている。このプログラムは画像形成装置に、他の画像形成装置から当該他の画像形成装置における予め規定された範囲内におけるユーザーの存在の検知結果を取得するステップと、他の画像形成装置におけるユーザーの存在の検知結果に基づいて、ユーザーについてのリストを要求する優先度の高い画像形成装置のグループを決定するステップと、第１の画像形成装置がグループに属する場合に、決定するステップにおいて決定されたグループに属する画像形成装置に関する情報を第１の画像形成装置に通知するステップとを実行させる。
好ましくは、決定するステップは、決定するステップによって決定されたグループと、他の画像形成装置から通知されたグループとのうちの少なくとも１つのグループに属する画像形成装置をユーザーについてのグループに属する画像形成装置として決定する。
好ましくは、決定するステップは、各画像形成装置においてユーザーの存在が検知された頻度に基づいてユーザーについてのグループを決定する。
好ましくは、決定するステップは、さらに、ユーザーの各画像形成装置の使用状況に基づいてユーザーについてのグループを決定する。
好ましくは、決定するステップは、ユーザーの各画像形成装置の使用状況に基づいて、グループに属する画像形成装置の中にユーザーの発行したジョブをスプールするための少なくとも１台の画像形成装置をさらに決定する。
好ましくは、電力状態として、ジョブの処理が可能な電力状態である第１の状態とジョブの処理が不可能な電力状態である第２の状態とを有する。制御プログラムは、画像形成装置に、第１の状態と第２の状態とを切り替える制御を行なうステップを実行させる。切り替える制御を行なうステップは、ユーザーについてのグループに属する画像形成装置からユーザーの存在が検知されたことが通知されたときに電力状態が第２の状態であった場合に、電力状態を第２の状態から第１の状態に移行する。